(57)【要約】【課題】外風による煽りを防止することによりシャッターのバタツキ音の発生を防止し、かつ圧力損失を少なくできる屋外フードを提供することを目的とする。【解決手段】壁内１に設けられ、室内２と室外３を連通するダクト４に挿入される筒部５と、外壁６側に取り付けられ、略中央に開口部７を有した本体８と、この本体８に固定されるフード９と、筒部５内にシャッター軸１０を有し、このシャッター軸１０に軸支され回動自在に設けたシャッター１１とを備え、シャッター１１の閉状態にはシャッター１１の全部が筒部５内に納まり、シャッター１１の開状態にはその一部をフード９の内部となる位置に設けてなる屋外フード１２の構成としたので、外風による煽りを防止することによりシャッターのバタツキ音の発生を防止し、かつ圧力損失を少なくすることができる。【選択図】図１ 
2005140363.tif 000002
【特許請求の範囲】
【請求項１】
壁内に設けられ室内と室外を連通させるダクト内に挿入される筒部と、外壁側に設けられ略中央に開口部を有した本体と、この本体を覆うようにして設けられるフードと、前記筒部内にシャッター軸を有し、このシャッター軸に軸支され回動自在に設けられたシャッターとを備えた屋外フードにおいて、前記シャッターの閉状態にはシャッターの全部が前記筒部内に納まり、前記シャッターの開状態にはその一部をフード内部となる位置に設けてなる屋外フード。
【請求項２】
シャッターはその取り付け位置を本体の外壁取付部より室内側に５ｍｍ以上２０ｍｍ以下の位置とした請求項１記載の屋外フード。
【請求項３】
上部側をシャッター軸に軸支されて回動自在に設られたシャッターが筒部の通風経路を閉鎖する位置に前記シャッターに当接する下部ストッパーを設けるとともに、前記シャッターの閉鎖回動時に前記シャッターが前記下部ストッパーに当接する前に前記シャッターの上端部を当接させる柔軟性を有した上部ストッパーを設けた請求項１または２記載の屋外フード。
【請求項４】
シャッターをアルミ、または樹脂で形成した請求項１、２、または３記載の屋外フード。
【請求項５】
上部ストッパーを円錐形状の緩衝ストッパーとした請求項３記載の屋外フード。
【請求項６】
筒部内に両端にシャッター軸を通す軸穴を有し、その上方に上部ストッパーを設け一体としたシャッター吊部材と、上部に前記シャッター軸を通すシャッター軸穴を有したシャッターとを、前記シャッター軸によって一体に形成したシャッターユニットを設けた請求項１記載の屋外フード。
【請求項７】
シャッターの外周部に屈曲部を形成した請求項１、２、３、４、５、または６記載の屋外フード。
【発明の詳細な説明】
【技術分野】
【０００１】
本発明は、建物の換気を行うために通風路に取り付けられる屋外フードに関するものである。
【背景技術】
【０００２】
従来、この種の屋外フードは室外からの外風の侵入防止のためにシャッターを備えたものが知られている（例えば、特許文献１参照）。
【０００３】
以下、その屋外フードについて図１３および図１４を参照しながら説明する。
【０００４】
図に示すように、壁１０１に開口された壁体開口部１０２にダクト１０３が差し込まれ、円筒状の筒部１０４と、中央に開口部１０５と、フランジ面１０６とからなる本体１０７が固定され、本体１０７には、フード１０８が固定されている。また、フランジ面１０６にはシャッター軸１０９を保持し、そのシャッター軸１０９に軸支されたシャッター１１０が垂下状態からフード１０８内部で開状態となるよう回動自在に設られ、シャッター１１０の外周にシャッター１１０を内包するように遮蔽手段１１１を設けられてなる屋外フード１１２の構成とされていた。そして、屋外フード１１２を施工する際には、壁１０１内のダクト１０３に内接するように筒部１０４を挿入し、筒部１０４に固定された板バネ１１３により壁１０１に取着していた。
【０００５】
そして、室内側１１４の換気扇（図示せず）を運転すると、換気扇の風圧でシャッター１１０がシャッター軸１０９を中心として室外側１１５方向に回動し、シャッター１１０が開き、室内の空気の排気を行う。また、台風のような強風雨が発生したときは、外風雨の侵入防止のため、換気扇の運転を止める。換気扇を停止すると、換気扇の風圧がなくなるためシャッター１１０が垂下状態となり、通風経路１１６を閉鎖する。このとき、台風によって、風１１７がフード下部１１８から侵入したときは、シャッター１１０が風１１７によって煽られて開き、通風経路１１６を開放した状態となり、シャッター１１０が小刻みな開閉状態となり、シャッターのバタツキ音が発生してしまうため、シャッター１１０の外周に遮蔽手段１１１により、下からの風１１７による煽りを防いでいた。
【特許文献１】特開２００３−４２５２７号公報
【発明の開示】
【発明が解決しようとする課題】
【０００６】
このような従来の屋外フードでは、遮蔽手段１１１は下からの風１１７に対してシャッター１１０の煽りを防ぎ、シャッター１１０のバタツキ音の発生を防止できるが、屋外フード１１２の通風経路１１６を大きく塞ぐ抵抗を用いることとなり、屋外フード１１２の圧力損失の抵抗を大きくしてしまい、換気性能を損なわせるという課題があった。
【０００７】
本発明は、このような従来の課題を解決するためのものであり、外風による煽りを防止することによりシャッターのバタツキ音の発生を防止し、かつ圧力損失を少なくできる屋外フードを提供することを目的としている。
【課題を解決するための手段】
【０００８】
本発明の屋外フードは上記目的を達成するために、壁内に設けられ室内と室外を連通させるダクト内に挿入される筒部と、外壁側に設けられ略中央に開口部を有した本体と、この本体を覆うようにして設けられるフードと、前記筒部内にシャッター軸を有し、このシャッター軸に軸支され回動自在に設けられたシャッターとを備えた屋外フードにおいて、前記シャッターの閉状態にはシャッターの全部が前記筒部内に納まり、前記シャッターの開状態にはその一部をフード内部となる位置に設けてなる構成としたものである。
【０００９】
この手段により、外風による煽りを防止することによりシャッターのバタツキ音の発生を防止し、かつ圧力損失を少なくできる屋外フードが得られる。
【００１０】
また、シャッターはその取り付け位置を本体の外壁取付部より室内側に５ｍｍ以上２０ｍｍ以下の位置としたものである。
【００１１】
この手段により、外風による煽りを防止することによりシャッターのバタツキ音の発生を防止し、かつ圧力損失を少なくできる屋外フードが得られる。
【００１２】
また、上部側をシャッター軸に軸支されて回動自在に設られたシャッターが筒部の通風経路を閉鎖する位置に、前記シャッターに当接する下部ストッパーを設けるとともに、前記シャッターの閉鎖回動時にシャッターが前記下部ストッパーに当接する前に、前記シャッターの上端部に当接させる柔軟性を有した上部ストッパーを設けたものである。
【００１３】
この手段により、シャッターのバタツキ音や衝突音を低減できる屋外フードが得られる。
【００１４】
また、シャッターをアルミ、または樹脂で形成したものである。
【００１５】
この手段により、シャッターのバタツキ音や衝突音を低減できる屋外フードが得られる。
【００１６】
また、上部ストッパーを、円錐形状の緩衝ストッパーとしたものである。
【００１７】
この手段により、シャッターのバタツキ音や衝突音を低減できる屋外フードが得られる。
【００１８】
また、筒部内部に両端にシャッター軸を通す軸穴を有し、その上方に上部ストッパーを設け一体としたシャッター吊部材と、上部に前記シャッター軸を通すシャッター軸穴を有したシャッターとを、前記シャッター軸によって一体に形成したシャッターユニットを設けたものである。
【００１９】
この手段により、組み立て上のばらつきによるシャッター閉時の開閉不良を防止することができる屋外フードが得られる。
【００２０】
また、シャッターの外周部に屈曲部を形成したものである。
【００２１】
この手段により、シャッターのたわみによるシャッターの引っかかりによる開閉不良を防止できる屋外フードが得られる。
【発明の効果】
【００２２】
本発明によれば、圧力損失が小さく、かつ外風の侵入防止をはかり、さらに、バタツキ音などのシャッター騒音の発生防止ができる屋外フードを提供できる。
【発明を実施するための最良の形態】
【００２３】
本発明の請求項１記載の発明は、壁内に設けられ室内と室外を連通させるダクト内に挿入される筒部と、外壁に取り付けられ略中央に開口部を有した本体と、この本体を覆うようにして設けられるフードと、前記筒部内にシャッター軸を有し、このシャッター軸に軸支され回動自在に設けられたシャッターとを備えた屋外フードにおいて、前記シャッターの閉状態にはシャッターの全部が前記筒部に納まり、シャッターの開状態にはその一部をフード内部となる位置に設けたものであり、外風による煽りを防止することによりシャッターのバタツキ音の発生を防止し、かつ圧力損失を少なくすることができるという作用を有する。
【００２４】
また、請求項２記載の発明は、請求項１記載の屋外フードに、シャッターはその取り付け位置を本体の外壁取付部より室内側に５ｍｍ以上２０ｍｍ以下の位置としたものであり、外風による煽りから起こるシャッターの開き量と、屋外フード内の圧力損失とを勘案して適切なシャッターの位置とすることで、シャッターのバタツキ音の発生を防止し、かつ圧力損失を少なくできるという作用を有する。
【００２５】
また、請求項３記載の発明は、請求項１または２記載の屋外フードに、上部側をシャッター軸に軸支されて回動自在に設られたシャッターが筒部の通風経路を閉鎖する位置に、前記シャッターに当接する下部ストッパーを設けるとともに、前記シャッターの閉鎖回動時にシャッターが前記下部ストッパーに当接する前に、前記シャッターの上端部に当接させる柔軟性を有した上部ストッパーを設けたものであり、シャッターが下部ストッパーに当接する前に筒部内部の上部ストッパーに当接するので、シャッターの上端部が上部ストッパーに当接する際の衝突音は低減され、シャッター衝突音の騒音を低減できるという作用を有する。
【００２６】
また、請求項４記載の発明は、請求項１、２または３記載の屋外フードに、シャッターをアルミ、または樹脂で形成したものであり、シャッターの重量が軽くなるため、圧力損失を小さくでき、また換気扇停止時、シャッター衝突音の騒音を低減できるという作用を有する。
【００２７】
また、請求項５の発明は、上部ストッパーを、円錐形状の緩衝ストッパーとしたので、シャッターが閉じる際、シャッターの上端部が柔軟性を有した円錐形状の緩衝ストッパーに当接するため、当接の際、シャッターの上端部は緩衝ストッパーと点接触であるため、シャッターと接触する面積が微小であるため、衝突音は低減し、シャッター衝突音の騒音を低減できるという作用を有する。
【００２８】
また、請求項６の発明は、筒部内に両端にシャッター軸を通す軸穴を有し、その上方に上部ストッパーを設け一体としたシャッター吊部材と、上部に前記シャッター軸を通すシャッター軸穴を有したシャッターとを、前記シャッター軸によって一体に形成したシャッターユニットを設けたものであり、軸穴を介してシャッター軸と上部ストッパーとが一体に形成されているため、ミリ単位以下の精度を有することができるので、組み立て上のばらつきによるシャッター閉時の開閉不良を防止することができるという作用を有する。
【００２９】
また、請求項７記載の発明は、シャッターの外周部に屈曲部を形成したので、シャッターの強度が向上されるため、シャッターのたわみを防止でき、たわみによるシャッターの引っかかりによる開閉不良を防止できるという作用を有する。
【００３０】
以下、本発明の実施の形態について、図面を参照しながら説明する。
【００３１】
（実施の形態１）
図１〜図４に示すように、本発明の屋外フードは、壁内１に設けられ、室内２と室外３を連通するダクト４に挿入される筒部５と、外壁６側に取り付けられ、略中央に開口部７を有した本体８と、この本体８を覆うようにして設けられるフード９と、筒部５内にシャッター軸１０を有し、このシャッター軸１０に軸支され回動自在に設けられたシャッター１１とを備え、シャッター１１の位置はシャッター１１の閉状態にはシャッター１１の全部が筒部５内に納まり、シャッター１１の開状態にはその一部をフード９の内部となる位置に設けてなる屋外フード１２の構成とする。
【００３２】
そして、屋外フード１２を外壁６に施工する際には、外壁６に開口された壁体開口部１３にダクト４が差し込まれ、筒部５をダクト４内に挿入する。このとき、筒部５の円筒外周部に設けられた板バネ１４がダクト４の内壁に係止され、外壁６に屋外フード１２が取着されることとなる。
【００３３】
また、シャッター１０はその取付位置範囲Ａを本体８の外壁取付部より室内２側に５ｍｍ以上２０ｍｍ以下の位置とした構成とする。
【００３４】
また、シャッター１１はその素材をアルミ、または樹脂で形成する構成とする。
【００３５】
上記構成において、室内２側に設置された換気扇（図示せず）を運転すると、換気扇の風圧でシャッター１１が軸１０を中心として室外３側方向に回動しシャッター１１が開く。このとき、シャッター１１のシャッター下端部１５は筒部５内から脱し、フード９内に位置する。このようにシャッター１１が開くことになり、通風経路１６を開放し、換気扇による排気を行う。このとき例えばシャッター１１の位置が開状態となっても筒部５内に位置する構造であれば、換気の通風経路１６を塞ぐ空間が大きいため、シャッター１１による圧力損失が大きく換気の能力を著しく低下してしまう。しかしながら、このようにシャッター開状態で、シャッター下端部１５がフード９内に位置することにより、シャッター１１によって通風経路１６を塞ぐ空間は少ないため、屋外フード１２の圧力損失を小さくすることができる。
【００３６】
そして、台風のような強風雨が発生したときは、室外３からの風雨の侵入を防ぐため、換気扇の運転を停止する。換気扇を停止すると、シャッター１１を開かせるための風圧がなくなるため、シャッター１１は自然垂下状態となり、通風経路１６を閉鎖する。このような強風雨時には、室外３で発生する風は外壁６に当たり、外壁６の面に沿って上方に吹き上げる風１７となる。またその吹き上げの風１７はフード９のフード下部１８より侵入する。フード下部１８より侵入した吹き上げの風１７は筒部５内でその方向を変え風１７ａとなりシャッター１１に風圧をかけ、シャッター１１を閉方向すなわち室内２の方向に押し、シャッター下端部１５が筒部５内の下部ストッパー１９に当接し、通風経路１６の封止状態を保ち、外風の侵入を防止する。このように、フード９内に吹き上げの風１７が侵入しても、シャッター１１は筒部５内に位置しているため、筒部５内には、室外３から室内２の方向へシャッター１１とほぼ垂直に風圧がかかる風１７ａとなってシャッター１１を押すので、吹上げの風１７がフード９内に侵入しても、シャッター１１が煽られ開くことがないため、シャッターが外風によって開閉し、それによって起こるシャッターのバタツキ音を防止できる。
【００３７】
また、図４はシャッター１１を筒部５内の各位置に設定した条件において、換気扇を停止した状態で、人口的に下から吹き上げの風１７を与えたときのシャッター１１が煽られ開く量と、換気扇を運転した状態での屋外フードの圧力損失の大きさを示したグラフである。煽りによる開く量および、圧力損失はともに小さくなるほど良いを示す。図４に示すように、シャッター１１の位置を外壁６よりフード９側に位置すると、煽りによってシャッター１１が開き、風雨の侵入を許してしまい、バタツキ音の発生頻度を増大させてしまう。このとき、外壁６よりフード９側へ１０ｍｍ以上の位置のときには圧力損失も著しく増大してしまうこととなる。逆にシャッター１１の位置が外壁６に対し室内２側へ位置させると煽りによる開く量は少なくなるが、圧力損失は増加傾向となる。さらに、２０ｍｍを超えた位置のときには、煽りによってシャッター１１が開く量は０であるが、換気運転時、シャッター開状態で筒部５の空間の通風経路１６を塞ぐ空間が大きいため圧力損失を著しく増大してしまう。すなわち、シャッター１１の位置が外壁６、すなわち本体８の外壁取付部に対し室内２側に５ｍｍから２０ｍｍの位置であれば、煽りによるシャッターの開状態となる影響を受けなく、かつ圧力損失を損なわない屋外フードが提供できる。
【００３８】
また、シャッター１１の素材がアルミ、または樹脂で形成されているため、換気扇運転の風圧によってシャッター１１が開く際、シャッター１１の重量が軽いため、シャッター１１が開き易くなり、圧力損失を小さくでき、またシャッター１１の重量が軽いため、換気扇停止時にシャッター１１が下部ストッパー１９に当接する際のシャッター衝突音の騒音を低減できる。
【００３９】
（実施の形態２）
図５〜図７に示すように、シャッター軸１０を筒部５内に位置し、その上部側２０を支持して回動自在として設けたシャッター１１が筒部５の通風経路１６を閉鎖する位置にシャッター１１に当接する下部ストッパー１９を設けるとともに、シャッター１１の閉鎖回動時にシャッター１１が下部ストッパー１９に当接する前にシャッター上端部２１に当接する柔軟性を有した上部ストッパー２２を設けた構成とする。
【００４０】
また、図７に示すように、上部ストッパー２２を、柔軟性を有し円錐形状としてなる緩衝ストッパー２３とする。上部ストッパー２２および緩衝ストッパー２３は、弾性ゴム、エラストマー、または繊維などの材料からなるものである。
【００４１】
上記構成において、シャッター１１が開く動作は実施の形態１と同じであるため説明を省略する。そして、シャッター１１が閉じる時には、シャッター１１がシャッター軸１０を中心に鉛直垂下状態になるよう回動するが、シャッター１１は下部ストッパー１９に当接する前に筒部５内の上部ストッパー２２に当接し、シャッター１１を閉状態とする。室外で台風のような強い外風が発生したとき、吹き上げの風１７は筒部５内でその方向を変え風１７ａとなり、シャッター１１の面に室外３側から風圧がかかると、シャッター１１はさらに、シャッター下端部１５が下部ストッパー１９に当接し、通風経路１６を封止する。このとき、シャッター１１は回転の軸がその上部側２０を中心として回動するため、閉回動時、シャッター上端部２１はシャッター下端部１５より周速が遅く、シャッター上端部２１が上部ストッパー２２に当接する際の衝突音は小さい音となり、シャッター衝突音の騒音を低減できる。
【００４２】
また、シャッター１１が閉じる際、シャッター上端部２１が柔軟性を有し円錐形状の緩衝ストッパー２３に当接し、当接の際、シャッター上端部２１は緩衝ストッパー２３と点接触であるため、当接の際にシャッター１１と接触する面積が微小であり、衝突音は小さい音となり、シャッター衝突音の騒音を低減できる。
【００４３】
（実施の形態３）
図８〜図１０に示すように、筒部５内に、両端にシャッター軸１０を通す軸穴２４を有し、その上方に上部ストッパー２５を設け一体としたシャッター吊部材２６と、上部両端にシャッター軸１０を通すシャッター軸穴２７を有したシャッター１１とを、シャッター軸１０によって軸穴２４および、シャッター軸穴２７とを連通するように挿入してユニット化したシャッターユニット２８を設けた構成とする。
【００４４】
上記構成において、シャッターユニット２８を組み立てる工程は、シャッター吊部材２６とシャッター１１とを、軸穴２４とシャッター軸穴２７とが同軸上になるように配置させ、シャッター軸１０を挿入しシャッターユニット２８を組み立てる。このシャッターユニット２８を筒部５内部に固定させ、屋外フード１２を形成する。
【００４５】
屋外フード１２を外壁６に施工した後、換気扇を運転した際の動作は実施の形態１と同じであるため、説明を省略する。換気扇を運転した状態から換気扇を停止させると、シャッター１１は換気扇の風圧がなくなり、自然鉛直垂下状態となるがシャッター１１のシャッター上端部２１は上部ストッパー２５に当接し、シャッター１１が閉状態となる。このとき、シャッター１１を保持する位置をきめる部分である軸穴２４と、シャッターを閉状態にさせる位置を決める上部ストッパー２５とがシャッター吊部材２６で一体形成されているので、筒部５内にシャッターユニット２８を収めるときの組み立て精度が良くなる。たとえば、組み立てのばらつきによって、上部ストッパー２５の位置がシャッター１１の位置に対し、正規位置より反フード９側に位置する場合にはシャッター１１が鉛直垂下状態とならない位置でシャッター上端部２１が上部ストッパー２５にあたり、シャッター１１が半開状態となり、シャッター１１により通風経路１６を閉鎖することができなくなる。逆に上部ストッパー２５がフード９側に位置する場合には、シャッターが閉まる際、シャッター上端部２１が上部ストッパー２５に当接するより先に、シャッター下端部１５が下部ストッパー１９に当接するため、シャッター１１が上部ストッパー２５に当接し減速することなしに下部ストッパー１９に当たるため、大きな衝突音が発生し、シャッター閉時に騒音を発生させるという2つの不具合が発生してしまう。また、このシャッター１１の保持位置と上部ストッパー２５の位置ずれによって発生する不良は数ミリ以下の僅かなずれによって発生するため、このように、軸穴２４を介してシャッター軸と上部ストッパー２５が金型で一体形成されているため、ミリ単位以下の精度を有することができるので、組み立て上のばらつきによるシャッター閉時の開閉不良を防止することができる。
【００４６】
（実施の形態４）
図１１および図１２に示すように、シャッター１１部の外周部に屈曲部２９を形成し、シャッター１１を略Ｌ字形状とする。
【００４７】
上記構成において、台風などの強風発生時は風１７ａによって、シャッター１１の面３０には強く風圧がかかるため、シャッター１１が室内２側に凸状にたわむような力が加わるが、このとき、シャッター１１に屈曲部２９を形成しているため、シャッター面３０に垂直方向に働く外力に対する強度が向上され、強風によってシャッター１１の面３０に風圧がかかっても、シャッター１１のたわみを防止できるので、たわみによって上部ストッパー２５または下部ストッパー１９などにシャッター１１が引っかかりシャッター１１が動かないといったシャッターの開閉不良を防止することができる。
【産業上の利用可能性】
【００４８】
本発明は、外気または室内空気の通風路を有し、外風による煽りを防止することによりシャッターのバタツキ音の発生を防止し、かつ圧力損失を少なくする機能が求められる屋外端末器等の用途として有用である。
【図面の簡単な説明】
【００４９】
【図１】本発明の実施の形態１の屋外フードの構成を示す断面図
【図２】同屋外フードのシャッター開状態を示す断面図
【図３】同屋外フードの通風経路を封止する状態を示す断面図
【図４】同屋外フードのシャッターの各位置に対する性能を示すグラフ
【図５】本発明の実施の形態２の屋外フードの構成を示す断面図
【図６】同屋外フードの通風経路を封止する状態を示す断面図
【図７】同屋外フードの緩衝ストッパーを示す断面図
【図８】本発明の実施の形態３の屋外フードのシャッターユニットを分解した構成を示す斜視図
【図９】同屋外フードのシャッターユニットの構成を示す斜視図
【図１０】同屋外フードの通風経路を封止する状態を示す断面図
【図１１】本発明の実施の形態４の屋外フードの構成を示す斜視図
【図１２】同屋外フードの風の侵入経路を示す断面図
【図１３】従来の屋外フードのシャッター開状態を示す断面図
【図１４】同屋外フードの風の侵入経路を示す断面図
【符号の説明】
【００５０】
１      壁内
２      室内
３      室外
４      ダクト
５      筒部
６      外壁
７      開口部
８      本体
９      フード
１０    シャッター軸
１１    シャッター
１２    屋外フード
１６    通風経路
１７    風
１７ａ  吹き上げの風
１９    下部ストッパー
２２    上部ストッパー
２３    緩衝ストッパー
２４    軸穴
２５    上部ストッパー
２６    シャッター吊部材
２７    シャッター軸穴
２８    シャッターユニット
２９    屈曲部
【図１】
2005140363.tif 000003
【図２】
2005140363.tif 000004
【図３】
2005140363.tif 000005
【図４】
2005140363.tif 000006
【図５】
2005140363.tif 000007
【図６】
2005140363.tif 000008
【図７】
2005140363.tif 000009
【図８】
2005140363.tif 000010
【図９】
2005140363.tif 000011
【図１０】
2005140363.tif 000012
【図１１】
2005140363.tif 000013
【図１２】
2005140363.tif 000014
【図１３】
2005140363.tif 000015
【図１４】
2005140363.tif 000016